(57)【特許請求の範囲】
【請求項１】
洗濯機本体内に設けられ洗濯物が収容されて洗濯運転が実行される洗い槽と、
前記洗い槽に対する前記洗濯物の出し入れが行われると共に洗剤の投入が行われる出入口と、
前記出入口を開閉可能に閉塞する蓋と、
前記蓋の開閉状態を検知する蓋開閉検知手段と、
各種の設定・指示を行うための操作部と、
必要な表示を行う表示部と、
洗濯運転を実行する制御装置とを備え、
前記洗い槽内への洗剤の投入は前記蓋の開状態で行われ、
前記制御装置は、洗濯運転を開始する前に、洗濯に使用する目安となる洗剤量を前記表示部に表示させる洗剤量表示制御手段を含んで構成され、
前記洗剤量表示制御手段は、通常時においては、前記洗剤量の表示を予め設定された第１の時間について行うと共に、前記洗濯機本体の電源オンから前記洗剤量の表示を開始するまでの間に、前記蓋開閉検知手段により前記蓋が開状態から閉状態に切替わったことが検知された場合には、前記洗剤量の表示を前記第１の時間よりも短縮した第２の時間だけ実行することを特徴とする洗濯機。
【請求項２】
前記洗剤量表示制御手段は、前記表示部への洗剤量の表示中に、前記蓋開閉検知手段により前記蓋の開状態が検知された場合には、前記洗剤量の表示時間の短縮を止めることを特徴とする請求項１記載の洗濯機。
【請求項３】
前記洗剤量表示制御手段による前記表示部への洗剤量の表示が終了する時点で、前記蓋開閉検知手段により前記蓋の開状態が検知されている場合に、異常報知を行う異常報知手段を備えることを特徴とする請求項１又は２記載の洗濯機。
【請求項４】
前記洗剤量表示制御手段は、前記表示部への洗剤量の表示中に、前記蓋開閉検知手段により前記蓋が開状態から閉状態に切替わったことが検知された場合には、前記表示部への洗剤量の表示を終了し、前記制御装置は、以降の洗濯運転を実行することを特徴とする請求項１から３のいずれか一項に記載の洗濯機。
【請求項５】
前記蓋を閉塞状態にロックする蓋ロック機構を備え、
前記制御装置は、前記洗剤量表示制御手段による前記表示部への洗剤量の表示が終了した後、前記蓋ロック機構を動作させ、以降の洗濯運転を実行することを特徴とする請求項１から４のいずれか一項に記載の洗濯機。
【発明の詳細な説明】
【技術分野】
【０００１】
本発明の実施形態は、洗濯機に関する。
【背景技術】
【０００２】
洗濯機、例えばいわゆる縦軸型の全自動洗濯機においては、スタートキーがオン操作された際に、洗濯運転（給水行程）を開始するに先立ち、回転槽（洗い槽）内に収容されている洗濯物の布量検知動作が行われる。そして、検知した布量に応じて、水位（給水水量）を決定すると共に、洗濯に使用する目安となる洗剤量を表示部に表示することが行われている（例えば特許文献１、２参照）。
【０００３】
この場合、特許文献１には、次のような技術が開示されている。即ち、布量検知動作後に、洗剤量を表示すると共に、洗濯物の出し入れ口を開閉する蓋の開閉状態を検知し、蓋が閉状態であったときには、第２の所定時間（３０秒）待った後に再び開閉状態を検知し、蓋の閉状態を検知した場合に、蓋を閉状態にロックして洗濯運転（給水工程）を開始する。一方、第２の所定時間経過後に蓋が開状態であった場合には異常表示を行う。また、洗剤量を表示した時点で蓋が開状態であったときには、第１の所定時間（２分）内に蓋が閉状態に切替わった場合には、やはり蓋を閉状態にロックして洗濯運転を開始し、蓋の開状態が第１の所定時間以上続いた場合には、異常表示を行うようになっている。
【０００４】
ところが、この特許文献１の構成では、ユーザによっては、第２の所定時間が短すぎて、表示された洗剤量に合わせた洗剤を、洗い槽内に投入するための時間が足りない場合があり、洗剤を入れようとしいているにもかかわらず異常表示がなされたり、洗剤を入れる前に蓋がロックされて洗濯運転が開始されたりしてしまうことが起こる。そうかといって、第２の所定時間を長くし過ぎると、洗濯運転の開始（洗い行程の開始）がその分遅れて運転時間が長くなったり、ユーザが故障したのではないかと感じたりする虞がある。
【０００５】
そこで、特許文献２では、ユーザに応じた洗剤の投入時間を設定するために、洗剤量の表示が行われてから、蓋開閉検知手段の検知に基づき、蓋の開状態から閉状態への変化の時間を計測し、その時間を不揮発性メモリに記憶して、次回の運転時には、記憶されている時間を洗剤量表示の時間とする技術が開示されている。しかし、ユーザは、毎回同じ洗剤投入の動作をするとは限らないので、洗剤投入がスムーズにいかずに洗剤を入れる前に異常報知がなされる等、使い勝手の悪い状況が発生することは避けられない。
【先行技術文献】
【特許文献】
【０００６】
【特許文献１】特開第４８４４５９０号公報
【特許文献２】特開２０１３−２２１０６号公報
【発明の概要】
【発明が解決しようとする課題】
【０００７】
ところで、上記のように目安となる洗剤量を表示部に表示する際には、一般の代表的な粉末洗剤を用いる場合を想定して、例えば「カップ０．７杯」等と表示される。これに対し、近年では、洗濯に使用される洗剤として、一般的な粉末洗剤に加えて、液体洗剤、ジェルボール洗剤といった新規なタイプの洗剤が市販されてきている。また、適切な使用量についても、濃縮タイプ、更には超濃縮タイプなどもあって、様々である。
【０００８】
そして、そのような洗剤の種類ひいては投入方法の多様化に伴い、ユーザが洗剤を投入するタイミングについても、洗剤量の表示を見た上で洗剤を計量し投入する場合に限らず、自分の判断で好きなタイミングで洗剤投入を行う等、多様化している。例えば、洗剤量が表示される前の段階、即ち、ユーザがスタート操作を行う前に既に洗剤投入を完了していたり、布量検知動作中に洗剤を投入したりする場合もある。従って、目安としての洗剤量の表示を行う方が好ましいことは勿論であるが、ユーザによっては、上記従来技術を厳密に適用すると、洗剤量の表示の時間が必ずしも適切なものとはならず、上記のように不要な異常表示が行われたり、洗濯運転の開始が遅れたりする事情が発生する。
【０００９】
そこで、洗濯に使用する目安としての洗剤量の表示を適切な時間で行うことができる洗濯機を提供する。
【課題を解決するための手段】
【００１０】
実施形態の洗濯機は、洗濯機本体内に設けられ洗濯物が収容されて洗濯運転が実行される洗い槽と、前記洗い槽に対する前記洗濯物の出し入れが行われると共に洗剤の投入が行われる出入口と、前記出入口を開閉可能に閉塞する蓋と、前記蓋の開閉状態を検知する蓋開閉検知手段と、各種の設定・指示を行うための操作部と、必要な表示を行う表示部と、洗濯運転を実行する制御装置とを備え、前記洗い槽内への洗剤の投入は前記蓋の開状態で行われ、前記制御装置は、洗濯運転を開始する前に、洗濯に使用する目安となる洗剤量を前記表示部に表示させる洗剤量表示制御手段を含んで構成され、前記洗剤量表示制御手段は、通常時においては、前記洗剤量の表示を予め設定された第１の時間について行うと共に、前記洗濯機本体の電源オンから前記洗剤量の表示を開始するまでの間に、前記蓋開閉検知手段により前記蓋が開状態から閉状態に切替わったことが検知された場合には、前記洗剤量の表示を前記第１の時間よりも短縮した第２の時間だけ実行するところに特徴を有する。
【図面の簡単な説明】
【００１１】
【図１】第１の実施形態を示すもので、洗濯機本体の全体構成を概略的に示す縦断右側面図
【図２】蓋を開放させた状態の洗濯機本体の上方からの斜視図
【図３】操作パネルの平面図
【図４】電気的構成を概略的に示すブロック図
【図５】電源オンから給水行程開始までに制御装置が実行する処理手順を示すフローチャート
【図６】布量検出の結果と、水位、洗剤量との関係を示す図
【図７】第２の実施形態を示すもので、電源オンから給水行程開始までに制御装置が実行する処理手順を示すフローチャート
【図８】設定された水位と洗剤量との関係を示す図
【図９】第３の実施形態を示すもので、電源オンから給水行程開始までに制御装置が実行する処理手順を示すフローチャート
【図１０】第４の実施形態を示すもので、電源オンから給水行程開始までに制御装置が実行する処理手順を示すフローチャート
【図１１】第５の実施形態を示すもので、電源オンから給水行程開始までに制御装置が実行する処理手順を示すフローチャート
【図１２】第６の実施形態を示すもので、電源オンから給水行程開始までに制御装置が実行する処理手順を示すフローチャート
【発明を実施するための形態】
【００１２】
（１）第１の実施形態
以下、縦軸形の全自動洗濯機に適用した第１の実施形態について、図１から図６を参照しながら説明する。まず、図１、図２は、本実施形態に係る洗濯機（全自動洗濯機）の本体１の構成を概略的に示している。ここで、洗濯機本体１は、例えば鋼板から全体として矩形箱状に構成された外箱２を備えている。図１に示すように、この外箱２の底部には、４個の脚部３を有する台板４が設けられている。
【００１３】
図１に示すように、前記外箱２内には、洗濯水を溜める水槽６が、弾性吊持機構７により弾性的に支持（吊り下げ支持）されて設けられている。一部を示すように、前記弾性吊持機構７は、例えば前記外箱２の四隅部に設けられた４本の吊り棒７ａ、各吊り棒７ａの下端部に配置されたスプリング７ｂ等を有した周知構成を備えている。前記水槽６の底部には、排水口８が形成されており、この排水口８には、電子制御式の排水弁９を備えた排水路１０が接続されている。尚、詳しく図示はしないが、水槽６の底部にはエアトラップが設けられ、このエアトラップに接続されたエアチューブを介して、水槽６内の水位を検出する水位センサ２８（図４参照）が設けられている。
【００１４】
前記水槽６内には、ほぼ有底円筒状をなす洗い槽としての縦軸型の回転槽１１が回転可能に設けられている。この回転槽１１の上端部には、例えば液体封入形の回転バランサ１２が取付けられている。また、この回転槽１１の周壁部には、脱水孔１１ａが形成されている。この回転槽１１の内底部には、撹拌体（パルセータ）１３が配設されている。回転槽１１内には、図示しない洗濯物が収容されるようになっており、その洗濯物の洗い、すすぎ、脱水の行程からなる洗濯運転が行われる。
【００１５】
前記水槽６の上部には、水槽カバー１４が装着されている。この水槽カバー１４には、ほぼ中央部に洗濯物出し入れ用の開口部１４ａが設けられていると共に、その開口部１４ａを開閉する内蓋１５が取付けられている。水槽カバー１４の上面における後部には、給水用の給水口１６等が設けられている。
【００１６】
また、前記水槽６の下部（外底部）には、駆動機構部１７が配設されている。詳しい図示及び説明は省略するが、この駆動機構部１７は、アウタロータ形のＤＣ三相ブラシレスモータからなる洗濯機モータ４８（図４参照）、中空の槽軸１８、該槽軸１８を貫通する撹拌軸１９、前記洗濯機モータ４８の回転駆動力をそれら軸１８，１９に選択的に伝達するクラッチ機構等を備えている。前記槽軸１８の上端には、前記回転槽１１が連結されており、前記撹拌軸１９の上端には、前記撹拌体１３が連結されている。
【００１７】
前記クラッチ機構は、前記排水弁９に連動して動作し、洗い時及びすすぎ時（洗い行程）には回転槽１１の固定（停止）状態で、洗濯機モータ４８の駆動力を撹拌軸１９を介して撹拌体１３に伝達して撹拌体１３を低速で直接正逆回転駆動する。また、脱水時（脱水行程）には、槽軸１８と撹拌軸１９との連結状態で、洗濯機モータ４８の駆動力を槽軸１８を介して回転槽１１に伝達し、回転槽１１（及び撹拌体１３）を一方向に高速で直接回転駆動するようになっている。
【００１８】
図４に示すように、前記洗濯機モータ４８には、ロータの回転位置を検出する回転センサ４９が設けられている。周知のように、この回転センサ４９は、洗濯機モータ４８の回転軸に取付けられた例えば８極の永久磁石と、その磁束の変化を検出するホールＩＣとを備えて構成されている。これにより、回転センサ４９は、例えば洗濯機モータ４８の１回転により、４個のパルス信号を出力するように構成されている。後述するように、この回転センサ４９は布量検知手段の一部としても機能する。
【００１９】
一方、図１、図２に示すように、前記外箱２の上部には薄形の中空箱状をなす合成樹脂製のトップカバー２０が装着されている。このトップカバー２０の上面中央には、前記回転槽１１の上方に位置して、ほぼ円形の洗濯物出入口２０ａが形成され、その洗濯物出入口２０ａを開閉するための二つ折りタイプの蓋２１が設けられている。このとき、図４にのみ示すように、トップカバー２０には、この蓋２１の開閉状態を検出するための蓋開閉検知手段としての蓋スイッチ２９が設けられている。これと共に、トップカバー２０には、蓋２１を閉塞状態にロック（及びロック解除）するための蓋ロック機構３０が設けられている。
【００２０】
そして、このトップカバー２０の上面の前辺部には、図３にも示すように、横長形状の操作パネル２２が設けられている。詳しくは後述するが、この操作パネル２２は、ユーザが洗濯機本体１に対する電源の入り切りや各種の設定・指示等を行うための操作部や、必要な表示を行う表示部等を備えて構成されている。図１に示すように、操作パネル２２の裏面側には、後述する制御装置３１（図４参照）等を備える電子ユニット２３が設けられている。
【００２１】
このトップカバー２０の後部には、水槽６内への給水を行うための給水機構２４が設けられている。給水機構２４は、給水弁２５、注水ケース２６と、可撓性を有する給水ホース２７を備えており、給水ホース２７の先端部が前記給水口１６に接続されている。給水弁２５は給水受け口２５ａを備えていて、その給水受け口２５ａには、図示しない水道の蛇口に接続された接続ホースの先端部が接続される。給水弁２５が開放されると、水道から供給される水が、注水ケース２６及び給水ホース２７を介して給水口１６から回転槽１１内及び水槽６内に供給される。
【００２２】
ここで、図３を参照しながら、前記操作パネル２２について述べる。この操作パネル２２には、電源入りキー３２、電源切りキー３３が設けられていると共に、洗濯運転（各行程）を開始させるスタートキー３４が設けられている。また、洗濯運転を自動で実行させるコースのいずれかを選択するためのコース選択キー３５、選択（設定）されたコースを表示するコース表示部４０が設けられている。尚、コースのうち「標準コース」が、デフォルト設定とされ、ユーザの操作がない場合には、標準コースが自動的に設定される。
【００２３】
更に、操作パネル２２には、洗濯運転の各行程のマニュアル設定を行うための洗いキー３６、すすぎキー３７、脱水キー３８が設けられると共に、設定された時間や回数、並びに洗濯運転時における残り時間や回数等の必要な表示を夫々行う、洗い時間表示部４１、すすぎ回数表示部４２、脱水時間表示部４３が設けられている。水位をマニュアル設定するための水位キー３９や、水位を表示する水位表示部４４も設けられている。この場合、水位（水量）は例えば６段階で設定されるようになっている。以上により、各キー３２〜３９から操作部が構成され、各表示部４０〜４６から表示部が構成される。
【００２４】
本実施形態では、前記洗い時間表示部４１は、洗濯に使用する目安となる洗剤量（一般粉末洗剤で何カップか）を表示する洗剤量表示部、及び、洗濯運転の実行中における残り時間の目安を表示する残り時間表示部、更にはエラー発生時の報知を行うエラー表示部を兼用している。このとき、洗い時間表示部４１に洗剤量を表示する場合には、洗い時間表示部４１の近傍（図で上部）に設けられた「洗剤」表示部４５のランプが点灯し、洗い時間表示部４１に洗濯運転の残り時間の目安を表示する場合には、「残り」表示部４６のランプが点灯するようになっている。マニュアル設定時における洗い時間を表示する場合には、「洗剤」表示部４５及び「残り」表示部４６のいずれも消灯される。エラー報知時においては、洗い時間表示部４１には「Ｃ２３」といったエラー番号が表示される。
【００２５】
図４は、上記した制御装置３１を中心とした、洗濯機本体１の電気的構成を概略的に示している。制御装置３１は、ＣＰＵ、ＲＯＭ、ＲＡＭ等からなるマイクロコンピュータを主体として構成され、洗濯機本体１全体を制御して洗濯運転の各行程を実行する。この制御装置３１には、前記操作パネル２２の操作部（各操作キー）３２〜３９からの操作信号が入力されると共に、前記蓋スイッチ２９、水位センサ２８、回転センサ４９からの検知信号が入力される。
【００２６】
また、制御装置３１は、前記操作パネル２２の各表示部４０〜４６の表示を制御すると共に、報知用のブザー５０を制御する。また、制御装置３１は、モータ駆動回路５１を介して前記洗濯機モータ４８を駆動制御すると共に、駆動回路５２、５３、５４を介して、前記給水弁２５、排水弁９、蓋ロック機構３０を夫々制御する。以上の構成により、制御装置３１は、操作パネル２２にてユーザにより設定される運転コースに応じて、各センサからの入力信号や予め記憶された制御プログラムに基づいて、洗濯機本体１の各機構を制御し、周知の洗い、すすぎ、脱水の各行程からなる洗濯運転を自動で実行するようになっている。
【００２７】
このとき、制御装置３１はそのソフトウエア構成（制御プログラムの実行）により、自動運転のいずれかのコースが設定された状態で、スタートキー３４が操作された場合に、布量検知動作を実行させ、布量に基づいて、洗濯水位を自動設定すると共に、「洗剤」表示部４５を点灯させて洗い時間表示部４１に使用の目安となる洗剤量（カップ数）を表示する。従って、制御装置３１は、洗濯運転（洗い行程）を開始する前、つまり撹拌（或いは槽回転）の開始前に、洗濯に使用する目安となる洗剤量を洗い時間表示部４１に表示させる洗剤量表示制御手段としての機能も備えている。
【００２８】
周知のように、上記布量検知動作は、布量に応じて撹拌体１３の回転負荷が変化することを利用するもので、給水前の状態で、撹拌体１３を所定の短時間だけ回転させ、その際の洗濯機モータ４８の回転数（回転センサ４９の出力パルス数）を検出することにより行われる。このとき、図６に示すように、布量（洗濯物重量Ｗ）に対する、適切な給水水量及び目安となる必要洗剤量（標準的な粉末洗剤の場合）のデータが予めテーブル化されて記憶されている。この場合、布量に対する給水水量及び洗剤量は、例えば６段階に設定されるようになっている。
【００２９】
さて、制御装置３１は、上記のように、自動運転のいずれかのコースが設定された状態でスタートキー３４が操作された際に、布量検知動作を実行させ、洗い時間表示部４１に洗剤量（カップ数）の表示を所定の時間について実行し、所定時間の表示が終了するとそのまま洗濯運転（給水行程）に移行する。このとき、本実施形態では、制御装置３１は、洗濯機本体１が電源オン（電源入りキー３２がオン操作）されてから、洗い時間表示部４１に洗剤量の表示を開始するまでの間に、前記蓋スイッチ２９の信号を常に監視する。洗濯機本体１の電源オンから洗剤量の表示を開始するまでの区間を初期区間と称する。
【００３０】
そして、後の作用説明（フローチャート説明）でも述べるように、制御装置３１は、前記初期区間内に、蓋スイッチ２９により、蓋２１が開状態から閉状態に切替わったことが検知された場合には、前記洗剤量の表示を、予め設定された第１の時間（例えば６０秒間）よりも短縮した第２の時間（例えば８秒間）だけ実行する。通常時、つまり、初期区間内に、蓋スイッチ２９により蓋２１が開状態から閉状態に切替わったことが検知されなかった場合には、洗剤量の表示を第１の時間（例えば６０秒間）について実行する。
【００３１】
尚、前記蓋スイッチ２９により、蓋２１の状態を監視する初期区間の開始時点は、洗濯機本体１が電源オン（電源入りキー３２がオン操作）されてからと述べたが、実質的には、蓋スイッチ２９の安定化時間を待った後で開始される。つまり、実際には、初期区間は、電源入りキー３２がオン操作された時点から、所定時間（例えば５００ｍｓｅｃ或いはそれ以下の所定時間）経過後に開始されるようになっている。
【００３２】
次に、上記構成の作用について、図５も参照して述べる。洗濯機本体１において洗濯運転を実行させるにあたっては、ユーザは、例えば蓋２１を開けて回転槽１１内に洗濯物を投入すると共に、給水動作が開始されるまでに、適量の洗剤を回転槽１１内に投入する（投入後、蓋２１を閉塞する）必要がある。この場合、洗濯に使用される洗剤としては、一般的な粉末洗剤の他に、液体洗剤、ジェルボール洗剤等もあり、更には、濃縮タイプ、超濃縮タイプなど様々なものがあり、ユーザは好みの洗剤を使用する。また、ユーザは、投入すべき洗剤の量を経験的に判っているような場合も多い。
【００３３】
具体的には、ユーザは次の手順で操作を行う。即ち、洗濯機本体１の蓋２１が開放した状態で、回転槽１１内に洗濯物を投入し、次いで、操作パネル２２の電源入りキー３２をオン操作して設定（自動コースのいずれかの選択等）を行った上で、スタートキー３４をオン操作する。このとき、自動運転のいずれかのコースが設定されている場合には、上述のように、布量検知動作が実行され、次いで、洗い時間表示部４１に対する洗剤量の表示が一定時間行われ、その後、洗いの行程（給水）が開始される。
【００３４】
このとき、特に一般的な粉末洗剤、液体洗剤の場合、ユーザは、布量検知動作が終わって洗剤量が表示されている状態で、それを見て洗剤を投入することができる。ユーザは洗剤投入後に蓋２１を閉める。或いは、特にジェルボール洗剤の場合は、ユーザは、電源オンの前や、電源オンの直後に（スタートキー３４をオン操作する前に）、洗濯物の投入と共に洗剤をすぐ入れることも可能である。この場合、ユーザは、蓋２１の開放状態で（或いは開放操作を行った上で）、洗剤を投入し、その後蓋２１を閉めてスタートキー３４をオン操作する。
【００３５】
或いは、ユーザは、スタートキー３４をオン操作してから、布量検知動作中（洗剤量表示の前）に、洗剤を投入し、蓋２１を閉めるといった場合もある。洗剤投入がいずれのタイミングになる場合でも、ユーザは、回転槽１１内に洗剤を投入するまでは、蓋２１を開放状態としておき、洗剤を投入した後、蓋２１を閉めるといった操作を行うことが一般的である。
【００３６】
図５のフローチャートは、電源入りキー３２がオン操作されてから、給水の行程を開始するまでに、制御装置３１が実行する処理手順を示している。即ち、まずステップＳ１においては、洗剤量の表示時間（第１の時間）が例えば６０秒に設定される。ステップＳ２では、操作パネル２２における洗濯運転の内容の設定が行われる。尚、ここでは、自動運転のコースのうちいずれか（例えば標準コース９）が設定されたものとする。ステップＳ３では、スタートキー３４がオン操作されたかどうかが判断される。スタートキー３４がオン操作されるまでは（ステップＳ３にてＮｏ）、ステップＳ２にて、操作パネル２２における洗濯運転の内容の設定が受け付けられる。
【００３７】
スタートキー３４がオン操作されると（ステップＳ３にてＹｅｓ）、ステップＳ４にて、布量検知動作が実行され、ステップＳ５では、布量検知動作が終了したかどうかが判断される。布量検知動作が終了すると（ステップＳ５にてＹｅｓ）、検知された洗濯物量に応じた給水水量が決定されると共に、洗い時間表示部４１に対する目安となる洗剤量の表示を行うのであるが、洗剤量の表示に先立ち、次のステップＳ６にて、初期区間、即ち電源入りキー３２がオン操作されてから現時点（洗剤量表示を行う）までの間に、蓋スイッチ２９により、蓋２１が開状態から閉状態に切替わったことが検知されたかどうかが判断される。
【００３８】
ここで、初期区間において、蓋２１が開状態から閉状態に切替わったことが検知されていなかった場合には（ステップＳ６にてＮｏ）、そのまま（洗剤量の表示時間が６０秒のまま）ステップＳ８に進む。これに対し、初期区間において、蓋２１が開状態から閉状態に切替わった場合には（ステップＳ６にてＹｅｓ）、上記したように、ユーザにより、洗剤が既に投入されていると判断することができるので、ステップＳ７にて、洗剤量の表示時間が第２の時間（例えば８秒）に設定され、ステップＳ８に進む。
【００３９】
ステップＳ８にて、洗濯物量に応じた、使用の目安となる洗剤量が洗い時間表示部４１に表示される。ステップＳ９では、表示時間が経過したかどうかが判断され、表示時間が終了するまでは、洗剤量の表示が、６０秒間或いは８秒間継続して行われる。洗剤量の表示時間が終了すると（ステップＳ９にてＹｅｓ）。ステップＳ１０にて、洗い時間表示部４１の表示が、洗濯運転の残り時間（例えば「３０分」等）の表示に切替えられ、給水の行程が開始される。
【００４０】
このとき、上記したように、初期区間において蓋２１が開状態から閉状態に切替わっている場合には、洗剤量の表示前に既にユーザにより洗剤が回転槽１１内に投入されていると十分な確かさで判断することができる。このように洗剤量の表示前に既に洗剤が投入されていると判断されるときには、洗剤量の表示が短時間（第２の時間：８秒）だけ行われて、速やかに給水の行程が開始されるようになる。
【００４１】
ここで、例えばジェルボール洗剤を使用する場合など、ユーザが先に洗剤を入れておくことを決めていた場合には、スタートキー３４がオン操作される前に既に蓋２１が閉じられているので、布量検知後の洗剤量の表示を短時間で済ませ、速やかに洗濯運転を開始することができる。また、ユーザがそのように予め決めておらず、スタートキー３４を先にオン操作してしまった場合でも、布量検知動作中であれば、洗剤を投入して蓋２１を閉塞すれば、同様に、布量検知後の洗剤量の表示を短時間で済ませ、速やかに洗濯運転を開始することができるのである。
【００４２】
これに対し、初期区間において蓋２１が開状態から閉状態に切替わっていない（区間内ずっと閉塞のまま、或いは初期区間終了時に開放状態にある）場合には、十分な確かさで、洗剤が未だ投入されていないと判断することができる。このときには、十分な時間（第１の時間：６０秒）の洗剤量の表示が行われ、その後洗い行程が開始されるので、ユーザは、その表示を見て洗剤量を確認し、洗剤の計量を行って回転槽１１内に投入し、蓋２１を閉めるといった作業を、いつも通りのペースで行うことができる。
【００４３】
このように本実施形態によれば、初期区間内における、蓋スイッチ２９により蓋２１が開状態から閉状態に切替わったかどうかの検知によって、ユーザが表示前に洗剤を投入したかどうかを判断し、それに基づいて洗剤量の表示時間を制御するように構成した。これにより、洗濯に使用する目安としての洗剤量の表示を行いながらも、その表示を適切な時間で行うことができるという優れた効果を得ることができる。ひいては、従来のような不要な異常表示が行われたり、洗濯運転の開始が遅れたりする不具合を未然に防止することができる。
【００４４】
特に本実施形態では、洗濯物の量を検知する布量検知動作を実行し、その結果に基づいて、布量に応じた適切な給水水位（水量）を設定することができると共に、洗濯を実行する水位（水量）に応じた適切な洗剤量を表示することが可能となる。また、初期区間が、洗濯機本体１の電源オン（電源入りキー３２がオン操作）から所定時間経過後に開始される構成としたので、蓋スイッチ２９の検知信号が安定した状態で、蓋２１の開閉状態の確実な検知が可能となる。
【００４５】
（２）第２の実施形態
次に、図７及び図８を参照して、第２の実施形態について述べる。尚、以下に述べる各実施形態についても、上記第１の実施形態の同等の機械的構成を備えた縦軸型の洗濯機に適用したものである。従って、上記第１の実施形態と同一部分については、同一符号を付すと共に、新たな図示や詳しい説明を省略し、以下、異なる点を中心に説明する。
【００４６】
この第２の実施形態が、上記第１の実施形態と異なるところは、洗濯に使用する目安となる洗剤量の設定を、布量検知動作の結果に基づいて行うのではなく、水槽６（回転槽１１）内に給水される設定水位（水量）に応じて設定するように構成した点にある。即ち、本実施形態では、ユーザは、上記したように操作パネル２２の水位キー３９（図３参照）により、洗濯水位（水量）を６段階のいずれかにマニュアル設定することができる。制御装置３１には、図８に示すように、設定水位（設定水量）に応じた、目安となる必要洗剤量（標準的な粉末洗剤の場合）のデータが予めテーブル化されて記憶されている。
【００４７】
本実施形態では、制御装置３１は、操作パネル２２で水位が設定された状態で、スタートキー３４が操作された際に、上記データに基づいて洗い時間表示部４１に洗剤量（カップ数）の表示を所定の時間について実行し、洗濯運転（給水行程）に移行する。このとき、制御装置３１は、電源入りキー３２がオン操作されてから、洗い時間表示部４１に洗剤量の表示を開始するまでの初期区間内に、蓋スイッチ２９により、蓋２１が開状態から閉状態に切替わったことが検知された場合には、洗剤量の表示を、予め設定された第１の時間（例えば６０秒間）よりも短縮した第２の時間（例えば８秒間）だけ実行する。
【００４８】
図７のフローチャートは、電源入りキー３２がオン操作されてから、給水の行程を開始するまでに、制御装置３１が実行する処理手順を示している。即ち、まずステップＳ１においては、洗剤量の表示時間（第１の時間）が例えば６０秒に設定される。次のステップＳ１１では、ユーザによる操作パネル２２上での洗濯運転の内容の設定が行われ、その設定には給水水位の設定が含まれている。
【００４９】
設定操作の後、スタートキー３４がオン操作されると（ステップＳ３にてＹｅｓ）、洗い時間表示部４１に対する、設定水位に応じた目安となる洗剤量の表示が行われる（ステップＳ８）のであるが、洗剤量を表示する前に、ステップＳ６にて、初期区間内に、即ち電源入りキー３２がオン操作されてから洗剤量表示を行う（現時点）までの間に、蓋スイッチ２９により、蓋２１が開状態から閉状態に切替わったことが検知されたかどうかが判断される。
【００５０】
ここで、初期区間において、蓋２１が開状態から閉状態に切替わったことが検知されていなかった場合には（ステップＳ６にてＮｏ）、そのままステップＳ８、Ｓ９に進み、洗剤量の表示が、第１の時間（６０秒間）実行される。これに対し、初期区間において、蓋２１が開状態から閉状態に切替わった場合には（ステップＳ６にてＹｅｓ）、ステップＳ７にて、洗剤量の表示時間が第２の時間（例えば８秒）に設定され、ステップＳ８、Ｓ９にて、洗剤量の表示が８秒間行われる。その後、ステップＳ１０にて、洗い時間表示部４１の表示が、洗濯運転の残り時間の表示に切替えられ、給水の行程が開始される。
【００５１】
この第２の実施形態においても、上記第１の実施形態と同様に、初期区間内における、蓋スイッチ２９により蓋２１が開状態から閉状態に切替わったかどうかの検知によって、ユーザが表示前に洗剤を投入したかどうかを判断し、それに基づいて洗剤量の表示時間を制御するように構成したので、洗濯に使用する目安としての洗剤量の表示を行いながらも、その表示を適切な時間で行うことができるという優れた効果を得ることができる。また、目安となる洗剤量は、給水水位（水量）に応じて設定されるので、洗濯を実行する水位（水量）に応じた適切な洗剤量を表示することが可能となる。
【００５２】
（３）第３の実施形態
図９は、第３の実施形態を示すもので、電源入りキー３２がオン操作されてから、給水の行程を開始するまでに、制御装置３１が実行する処理手順を示すフローチャートである。この第３の実施形態が、上記第１の実施形態（図５）と異なるところは、制御装置３１は、洗い時間表示部４１に対する洗剤量の表示中に、蓋スイッチ２９により蓋２１の開状態が検知された場合に、洗剤量の表示時間の短縮を止めるようにした点にある。
【００５３】
ここで、「短縮を止める」とは、直接的には、洗剤量の表示時間が第２の時間（８秒）に設定（短縮）されていた場合に、洗剤量の表示時間を、第１の時間（６０秒）に戻す、或いは、トータルで第１の時間（６０秒）よりも長くすることを表しているが、表示時間が第１の時間（６０秒）に設定されていたものを、トータルとして更に延長する場合も含んでいる。本実施形態では、蓋２１の開状態が検知された時点から、第３の時間についての表示を継続する（１回に限る）ようになっており、第３の時間として、具体的には、第１の時間と同等の６０秒を採用している。
【００５４】
即ち、図９においては、ステップＳ１からステップＳ８の洗剤量の表示までは、第１の実施形態（図５のフローチャート）と同等の処理が実行される。そして、洗剤量の表示中に、ステップＳ２１にて、蓋スイッチ２９により、蓋２１が開状態となったかどうかが監視される。蓋２１が開状態となることがなければ（ステップＳ２１にてＮｏ）、設定時間（６０秒或いは８秒）が経過すると（ステップＳ９にてＹｅｓ）、ステップＳ１０で、洗濯運転の残り時間の表示に切替えられ、給水の行程が開始される。
【００５５】
これに対し、洗剤量の表示中に蓋スイッチ２９により蓋２１の開状態が検知された場合には（ステップＳ２１にてＹｅｓ）、ステップＳ２２にて、その時点からの洗剤量の表示時間が、第３の時間（６０秒）に再設定され、表示が継続される。但し、この表示時間の再設定は、１回に限り行われる。従って、洗剤量の表示時間が、６０秒、８秒のいずれに設定されていた場合でも、洗剤量の表示中に蓋スイッチ２９により蓋２１の開状態が検知されたときには、その時点から更に６０秒間、洗剤量の表示が行われる。
【００５６】
このような第３の実施形態によれば、上記第１の実施形態等と同様に、洗濯に使用する目安としての洗剤量の表示を行いながらも、その表示を適切な時間で行うことができる。そして、本実施形態では、洗い時間表示部４１への洗剤量の表示中に蓋２１の開状態が検知された場合には、ユーザが、洗剤を投入する（又は追加投入する）ために開放したものと判断することができるので、洗剤量の表示時間の短縮を止める（表示時間を第３の時間に再設定する）ことによって、その洗剤投入のための時間を確保することができ、ユーザにとって洗剤の投入（追加）の作業をしやすいものとすることができる。
【００５７】
（４）第４の実施形態
図１０は、第４の実施形態を示すもので、電源入りキー３２がオン操作されてから、給水の行程を開始するまでに、制御装置３１が実行する処理手順を示すフローチャートである。この第４の実施形態が、上記第３の実施形態（図９）と異なるところは、制御装置３１は、洗い時間表示部４１に対する洗剤量の表示が終了する時点で、蓋スイッチ２９により蓋２１の開状態が検知されている場合に、異常報知を行う点にある。異常報知は、洗い時間表示部４１のエラー番号の表示及びブザー５０の鳴動により行われる。従って、制御装置３１、洗い時間表示部４１、ブザー５０等から異常報知手段が構成される。
【００５８】
即ち、図１０において、ステップＳ２２にて、洗剤量の表示時間が第３の時間（６０秒）に再設定された後、ステップＳ３１では、蓋スイッチ２９により蓋２１が閉状態となったかどうかが判断される。ユーザにより蓋２１が閉じられた場合には（ステップＳ３１にてＹｅｓ）、ステップＳ９に戻り、表示が継続される。これに対し、蓋２１が開状態のままであった場合には（ステップＳ３１にてＮｏ）、ステップＳ３２にて第３の時間（６０秒）が経過したかどうかが判断され、６０秒が経過しない場合には（ステップＳ３２にてＮｏ）、ステップＳ３１からの処理が繰り返される。そして、６０秒が経過した場合には（ステップＳ３２にてＹｅｓ）、ステップＳ３３にて、蓋開の異常報知がなされる。
【００５９】
このような第４の実施形態によれば、上記第３の実施形態と同様の作用・効果が得られることに加え、異常報知手段を設けたことにより、蓋２１の開状態のままで、洗濯運転を開始してしまうことが未然に防止される。従って、洗い時間表示部４１への洗剤量の表示中におけるユーザによる洗剤投入（追加投入）後の、蓋２１の閉め忘れを防止し、ひいては、安全性を高めることができる。
【００６０】
（５）第５の実施形態
図１１は、第５の実施形態を示すもので、電源入りキー３２がオン操作されてから、給水の行程を開始するまでに、制御装置３１が実行する処理手順を示すフローチャートである。この第５の実施形態が、上記第４の実施形態と異なるところは、制御装置３１は、洗い時間表示部４１への洗剤量の表示中に、蓋スイッチ２９により蓋２１が開状態から閉状態に切替わったことが検知された場合には、その時点で洗剤量の表示を終了し、以降の洗濯運転を実行するようにした点にある。
【００６１】
即ち、図１１において、ステップＳ２２にて、洗剤量の表示時間が第３の時間（６０秒）に再設定された後、次のステップＳ４１にて、蓋スイッチ２９により蓋２１が閉状態となったかどうかが判断される。ユーザにより蓋２１が閉じられた場合には（ステップＳ４１にてＹｅｓ）、そのままステップＳ１０に進み、洗い時間表示部４１の表示が洗剤量の表示から洗濯運転の残り時間の表示に切替えられ、給水の行程が開始される。
【００６２】
これによれば、洗い時間表示部４１への洗剤量の表示中に、蓋２１が開状態から閉状態に切替わったことは、ユーザが洗剤の投入のために蓋２１を開いて洗剤を投入し、蓋２１を閉めるという一連の動作を行ったと判断することができる。従って、この第５の実施形態によれば、上記第４の実施形態と同様の作用・効果が得られることに加え、上記のようにして蓋２１が閉じられたことを検出した場合には、直ちに洗剤量の表示を終了し、洗濯運転を開始することにより、速やかに洗濯運転を開始でき、不要な表示時間をなくすことができる。
【００６３】
（６）第６の実施形態、その他の実施形態
図１２は、第６の実施形態を示すもので、電源入りキー３２がオン操作されてから、給水の行程を開始するまでに、制御装置３１が実行する処理手順を示すフローチャートである。この第６の実施形態が、上記第５の実施形態と異なるところは、制御装置３１は、洗い時間表示部４１への洗剤量の表示が終了した後、蓋ロック機構３０を動作させて蓋２１を閉塞状態にロックし、以降の洗濯運転を実行するようにした点にある。即ち、図１２に示すように、ステップＳ１０にて、洗剤量の表示が終了し、洗い時間表示部４１の表示が洗濯運転の残り時間の表示に切替えられると、次のステップＳ５１にて、蓋ロック機構３０により蓋２１を閉塞状態にロックされた上で、給水の行程が開始される。
【００６４】
このような第６の実施形態によれば、上記第５の実施形態と同様の作用・効果が得られることに加えて、洗剤量の表示が終了した後、蓋ロック機構３０が動作されることにより、以降の洗濯運転中に、回転槽１１が回転している状態で、ユーザが蓋２１を開けて回転部分に手を入れてしまうといったことが未然に防止されるので、安全性を高めることができる。
【００６５】
尚、詳しい説明は省略するが、上記した各実施形態における特徴部分を別の実施形態と組合せて実施することも可能である。例えば、第１の実施形態或いは第２の実施形態において、第４の実施形態のようにエラー報知を行うように構成したり、第５の実施形態のように蓋２１の閉塞を検出してすぐ洗濯運転を開始するように構成したり、第６の実施形態のように洗剤量の表示が終了した後、ロック機構３０を動作させるように構成したりしても良い。
【００６６】
また、上記した各実施形態では、第１の時間として６０秒、第２の時間として８秒を具体例にあげたが、それらについては適宜設定すれば良い。第３の時間についても、第１の時間と同等とするに限らず、それよりも長くしたり短くしたりすることもできる。それら第１〜第３の時間を可変に構成することも可能である。その他、洗濯機のハードウエア的構成についても様々な変形が可能であり、いわゆるドラム式（横軸型）の洗濯機にも適用することができる等、要旨を逸脱しない範囲内で適宜変更して実施し得るものである。
【符号の説明】
【００６７】
図面中、１は洗濯機本体、６は水槽、１１は回転槽（洗い槽）、２０ａは出入口、２１は蓋、２２は操作パネル、２９は蓋スイッチ（蓋開閉検知手段）、３０は蓋ロック機構、３１は制御装置（洗剤量表示制御手段、異常報知手段）、３２は電源入りキー、３４はスタートキー、４１は洗い時間表示部（表示部）、５０はブザーを示す。
【図１】
0006603042.tif 000002
【図２】
0006603042.tif 000003
【図３】
0006603042.tif 000004
【図４】
0006603042.tif 000005
【図５】
0006603042.tif 000006
【図６】
0006603042.tif 000007
【図７】
0006603042.tif 000008
【図８】
0006603042.tif 000009
【図９】
0006603042.tif 000010
【図１０】
0006603042.tif 000011
【図１１】
0006603042.tif 000012
【図１２】
0006603042.tif 000013